(57)【要約】【課題】使用者が操作する操作部に対応する操作基板に電源を供給する電源基板を有する炊飯器において、２００Ｖ等高電圧等を誤って投入し、電源基板に装着した一部の電子部品が破壊しても、破壊した電子部品の一部の飛び散りを遮蔽し、他の電子部品へ付着したり、炊飯器本体の外郭に設けた開口部より電子部品の一部が外へ飛び散るのを防止する。【解決手段】炊飯器本体１内に鍋２を着脱自在に収納して鋳込みヒータ４により加熱し、炊飯器本体１の上面開口部を蓋体３により開閉自在に覆い、炊飯器本体１の前面上部に使用者が操作する操作部５を配置し、操作部５に対応した操作基板６を炊飯器本体１の内部に設け、この操作基板５に電源基板７より電源を供給する。操作基板６と電源基板７は、互いに接続線１０で接続するとともに１つの基板ベース８に固定し、基板ベース８に電源基板７の略垂直方向に遮蔽用リブ８ａを配設する。【選択図】図１
2005143957.tif 000002
【特許請求の範囲】
【請求項１】
炊飯器本体と、この炊飯器本体内に着脱自在に収納する鍋と、前記炊飯器本体の上面開口部を開閉自在に覆う蓋体と、前記鍋を加熱する加熱手段と、前記炊飯器本体の前面上部に配置し使用者が操作する操作部と、前記操作部に対応し前記炊飯器本体の内部に設けた操作基板と、この操作基板に電源を供給する電源基板とを備え、前記操作基板と電源基板は、互いに接続線で接続するとともに１つの基板ベースに固定し、前記基板ベースに電源基板の略垂直方向に遮蔽用リブを配設した炊飯器。
【請求項２】
遮蔽用リブは、断面Ｌ字状または断面コ字状に形成した請求項１記載の炊飯器。
【請求項３】
遮蔽用リブは、電源基板に実装した電子部品の高さより高く、電子部品の幅より広い形状とした請求項１記載の炊飯器。
【発明の詳細な説明】
【技術分野】
【０００１】
本発明は、使用者が操作する操作部に対応する操作基板に電源を供給する電源基板を有する炊飯器に関するものである。
【背景技術】
【０００２】
従来、この種の炊飯器は図４に示すように構成していた。以下、その構成について説明する。
【０００３】
図４に示すように、炊飯器本体２１は、内部に鍋２２を着脱自在に収納し、上面開口部を蓋体２３により開閉自在に覆っている。鍋２２は加熱基板３０より高周波電流を供給される誘導加熱装置２４により加熱し炊飯する。操作部２５は炊飯器本体２１の前面上部に配置し、使用者が操作するもので、操作部２５の操作に対応して動作する操作基板２６を炊飯器本体２１の内部に設けている。電源基板２７は操作基板２６に電源を供給するもので、これら操作基板２６と電源基板２７は接続線２８ａ、２８ｂで接続するとともに、１つの基板部材２９に固定している（例えば、特許文献１参照）。
【特許文献１】特開平８−１５４８１６号公報
【発明の開示】
【発明が解決しようとする課題】
【０００４】
しかしながら、このような従来の構成では、２００Ｖ等高電圧等を誤って投入した場合、電源基板２７に装着した一部の電子部品が破壊し、破壊した電子部品の一部が飛び散り、他の電子部品へ付着したり、炊飯器本体２１の外郭に設けた開口部（図示せず）より電子部品の一部が外へ飛び散る可能性を有していた。
【０００５】
本発明は上記従来課題を解決するもので、２００Ｖ等高電圧等を誤って投入し、電源基板に装着した一部の電子部品が破壊しても、破壊した電子部品の一部の飛び散りを遮蔽し、他の電子部品へ付着したり、炊飯器本体の外郭に設けた開口部より電子部品の一部が外へ飛び散るのを防止することを目的としている。
【課題を解決するための手段】
【０００６】
本発明は上記目的を達成するために、炊飯器本体内に鍋を着脱自在に収納して加熱手段により加熱し、炊飯器本体の上面開口部を蓋体により開閉自在に覆い、炊飯器本体の前面上部に使用者が操作する操作部を配置し、操作部に対応した操作基板を炊飯器本体の内部に設け、この操作基板に電源基板より電源を供給するよう構成し、操作基板と電源基板は、互いに接続線で接続するとともに１つの基板ベースに固定し、基板ベースに電源基板の略垂直方向に遮蔽用リブを配設したものである。
【０００７】
これにより、２００Ｖ等高電圧等を誤って投入し、電源基板に装着した一部の電子部品が破壊しても、基板ベースに電源基板の略垂直方向に配設した遮蔽用リブにより、破壊した電子部品の一部の飛び散りを遮蔽できて、他の電子部品へ付着したり、炊飯器本体の外郭に設けた開口部より電子部品の一部が外へ飛び散るのを防止することができる。
【発明の効果】
【０００８】
本発明の炊飯器は、２００Ｖ等高電圧等を誤って投入し、電源基板に装着した一部の電子部品が破壊しても、破壊した電子部品の一部の飛び散りを遮蔽できて、他の電子部品へ付着したり、炊飯器本体の外郭に設けた開口部より電子部品の一部が外へ飛び散るのを防止することができる。
【発明を実施するための最良の形態】
【０００９】
第１の発明は、炊飯器本体と、この炊飯器本体内に着脱自在に収納する鍋と、前記炊飯器本体の上面開口部を開閉自在に覆う蓋体と、前記鍋を加熱する加熱手段と、前記炊飯器本体の前面上部に配置し使用者が操作する操作部と、前記操作部に対応し前記炊飯器本体の内部に設けた操作基板と、この操作基板に電源を供給する電源基板とを備え、前記操作基板と電源基板は、互いに接続線で接続するとともに１つの基板ベースに固定し、前記基板ベースに電源基板の略垂直方向に遮蔽用リブを配設したものであり、２００Ｖ等高電圧等を誤って投入し、電源基板に装着した一部の電子部品が破壊しても、基板ベースに電源基板の略垂直方向に配設した遮蔽用リブにより、破壊した電子部品の一部の飛び散りを遮蔽できて、他の電子部品へ付着したり、炊飯器本体の外郭に設けた開口部より電子部品の一部が外へ飛び散るのを防止することができる。
【００１０】
第２の発明は、上記第１の発明において、遮蔽用リブは、断面Ｌ字状または断面コ字状に形成したものであり、遮蔽用リブの強度を上げることができ、変形しにくくなるので、遮蔽効果を高めることができる。
【００１１】
第３の発明は、上記第１の発明において、遮蔽用リブは、電源基板に実装した電子部品の高さより高く、電子部品の幅より広い形状としたものであり、遮蔽用リブにより、破壊した電子部品の一部が飛び散るのを確実に防止することができる。
【００１２】
以下、本発明の一実施の形態について、図面を参照しながら説明する。なお、この実施の形態によって本発明が限定されるものではない。
【００１３】
図１に示すように、炊飯器本体１は、内部に鍋２を着脱自在に収納し、上面開口部を蓋体３により開閉自在に覆っている。鍋２は鋳込みヒータ（加熱手段）４により加熱し炊飯する。操作部５は炊飯器本体１の前面上部に配置し、使用者が操作するもので、操作部５の操作に対応して動作する操作基板６を炊飯器本体１の内部に設けている。電源基板７は操作基板６に電源を供給するもので、これら操作基板６と電源基板７は互いに接続線１０で接続するとともに、１つの基板ベース８に固定し、図３に示すように、基板ユニット９を構成している。
【００１４】
また、基板ベース８には電源基板７の下方に略垂直方向に遮蔽用リブ８ａを配設している。この遮蔽用リブ８ａは、図２に示すように、断面コ字状に形成し、遮蔽用リブ８ａの幅を電源基板７に実装した電子部品１２の幅より広い形状とし、遮蔽用リブ８ａの高さを、図１および図３に示すように、電源基板７に実装した電子部品１２の高さより高くし、しかも電子部品１２から炊飯器本体１の外郭に設けた開口部１１の直線最短距離線上より高くしている。
【００１５】
上記構成において作用を説明する。２００Ｖ等の高電圧を誤って投入した場合、電子部品１２にか電圧が加わることにより電子部品１２が破壊する。この破壊した電子部品１２の一部が飛び散り、他の電子部品へ付着したり、炊飯器本体１の外郭に設けた開口部１１より電子部品１２の一部が炊飯器本体１外へ飛び散ろうとする。ここで、炊飯器本体１の外郭に設けた開口部１１は電子部品１２の信頼性をあげるため、冷却用の空気の流れをつくり電子部品１２の温度を下げるために必要なものである。
【００１６】
本実施の形態では、基板ベース８に電源基板７の下方に略垂直方向に遮蔽用リブ８ａを配設し、遮蔽用リブ８ａの幅を電源基板７に実装した電子部品１２の幅より広い形状とし、遮蔽用リブ８ａの高さを電子部品１２の高さより高くしているので、電子部品１２が破壊しても、遮蔽用リブ８ａにより破壊した電子部品１２の一部が飛び散るのを防ぐことができ、飛び散った電子部品１２の一部が他の電子部品へ付着したり、炊飯器本体１の外郭に設けた開口部１１より炊飯器本体１外へ飛び散るのを防止することができる。
【００１７】
特に、遮蔽用リブ８ａの高さを、電子部品１２から炊飯器本体１の外郭に設けた開口部１１の直線最短距離線上より高くしているので、飛び散った電子部品１２の一部が炊飯器本体１の外郭に設けた開口部１１を直撃し、開口部１１より炊飯器本体１外へ飛び散るのを確実に防止することができる。
【００１８】
また、遮蔽用リブ８ａは断面コ字状に形成しているので、飛び散った電子部品１２の一部が遮蔽用リブ８ａに当たっても、遮蔽用リブ８ａが変形することがなく、破壊した電子部品の一部が飛び散るのを確実に防止することができる。
【００１９】
以上のように、本実施の形態においては、操作基板６と電源基板７は、互いに接続線１０で接続するとともに１つの基板ベース８に固定し、基板ベース８に電源基板７の略垂直方向に遮蔽用リブ８ａを配設したので、２００Ｖ等高電圧等を誤って投入し、電源基板７に装着した一部の電子部品１２が破壊しても、基板ベース８に電源基板７の略垂直方向に配設した遮蔽用リブ８ａにより、破壊した電子部品の一部の飛び散りを遮蔽できて、他の電子部品へ付着したり、炊飯器本体の外郭に設けた開口部より電子部品の一部が外へ飛び散るのを防止することができる。
【００２０】
また、遮蔽用リブ８ａは、断面コ字状に形成したので、遮蔽用リブ８ａの強度を上げることができ、変形しにくくなるので、遮蔽効果を高めることができる。
【００２１】
また、遮蔽用リブ８ａは、電源基板７に実装した電子部品１２の高さより高く、電子部品１２の幅より広い形状としたので、遮蔽用リブ８ａにより、破壊した電子部品の一部が飛び散るのを確実に防止することができる。
【００２２】
なお、本実施の形態では、鋳込みヒータ４により鍋２を加熱し炊飯するようにしているが、加熱コイルを設け、この加熱コイルの高周波電流を流して鍋２を誘導加熱するようにしてもよい。
【００２３】
また、本実施の形態では、遮蔽用リブ８ａは断面コ字状に形成しているが、断面Ｌ字状に形成してもよく、同様の作用、効果を得ることができる。
【産業上の利用可能性】
【００２４】
以上のように、本発明にかかる炊飯器は、２００Ｖ等高電圧等を誤って投入し、電源基板に装着した一部の電子部品が破壊しても、破壊した電子部品の一部の飛び散りを遮蔽できて、他の電子部品へ付着したり、炊飯器本体の外郭に設けた開口部より電子部品の一部が外へ飛び散るのを防止することができるので、使用者が操作する操作部に対応する操作基板に電源を供給する電源基板を有する炊飯器として有用である。
【図面の簡単な説明】
【００２５】
【図１】本発明の一実施の形態における炊飯器の一部切欠した側面図
【図２】同炊飯器の基板ユニットの正面図
【図３】同炊飯器の基板ユニットの側面図
【図４】従来の炊飯器の一部切欠した側面図
【符号の説明】
【００２６】
１  炊飯器本体
２  鍋
３  蓋体
４  鋳込みヒータ（加熱手段）
５  操作部
６  操作基板
７  電源基板
８  基板ベース
８ａ  遮蔽用リブ
１０  接続線
【図１】
2005143957.tif 000003
【図２】
2005143957.tif 000004
【図３】
2005143957.tif 000005
【図４】
2005143957.tif 000006